(57)【要約】【課題】建物躯体を取り除くことなく広く開放的な窓を形成する建具等を提供する。【解決手段】柱又は耐力壁を挟んで位置する２つの開口のうちの一方の前記開口に設けられる開口枠と、前記開口枠に囲まれた空間を閉塞可能に設けられ、スライドして他方の前記開口側に移動可能な障子と、透光性を有する面材を備え、前記他方の開口を閉塞する面材ユニットと、を有する。【選択図】図４
2019056260.tif 000002
【特許請求の範囲】
【請求項１】
柱又は耐力壁を挟んで位置する２つの開口のうちの一方の前記開口に設けられる開口枠と、
前記開口枠に囲まれた空間を閉塞可能に設けられ、スライドして他方の前記開口側に移動可能な障子と、
透光性を有する面材を備え、前記他方の開口を閉塞する面材ユニットと、
を有することを特徴とする建具。
【請求項２】
請求項１に記載の建具であって、
前記面材ユニットは、前記他方の開口において、前記柱又は前記耐力壁の屋外側の面より屋内側に位置する部位を有していることを特徴とする建具
【請求項３】
請求項１または請求項２に記載の建具であって、
前記障子がスライドするレールを備え前記一方の開口側から前記他方の開口側に亘って設けられるレール枠を有し、
前記面材ユニットは、前記面材を保持して躯体に固定される面材枠を有し、
前記レール枠は、前記面材枠に載置されていることを特徴とする建具。
【請求項４】
請求項１乃至請求項３のいずれかに記載の建具であって、
前記障子の幅は、前記柱及び前記耐力壁の幅より広いことを特徴とする建具。
【請求項５】
請求項４に記載の建具の施工方法であって、
前記一方の開口の内周に前記開口枠を取り付ける開口枠取付ステップと、
前記他方の開口の内周に前記面材ユニットを取り付ける面材ユニット取付ステップと、
上下に配置される前記レール枠が方立により連結された枠ユニットを前記開口枠及び前記面材ユニットに取り付ける枠ユニット取付ステップと、
を有することを特徴とする建具の施工方法。
【発明の詳細な説明】
【技術分野】
【０００１】
本発明は、建具及び建具の施工方法に関する。
【背景技術】
【０００２】
建具としては、たとえば窓枠や障子を備えた建具が知られている（例えば、特許文献１参照）。このような建具の窓枠は、上枠 、下枠および左右両端の縦枠を四角枠状に接合され、まぐさ、窓台、柱等の建物躯体側にビス止めされている。
【先行技術文献】
【特許文献】
【０００３】
【特許文献１】特開平１０−２３８２２４号公報
【発明の概要】
【発明が解決しようとする課題】
【０００４】
上記のような建具は、まぐさ、窓台、柱等の躯体に囲まれた開口内に取り付けられるので、上記建具により形成される窓は、躯体に囲まれた開口より小さくならざるを得ない。また、例えば、柱を切除して柱の両側に設けられている２つの開口を１つの開口とすると、大きな窓を形成することは可能であるが、構造耐力が低下するため、大掛かりな補強が必要である。このため、躯体を取り除くことなく、広く開放的な窓を形成することができなかった。
【０００５】
本発明は、かかる課題に鑑みてなされたものであり、その目的とするところは、躯体を取り除くことなく広く開放的な窓を形成する建具及び建具の施工方法を提供することにある。
【課題を解決するための手段】
【０００６】
かかる目的を達成するために本発明の建具は、柱又は耐力壁を挟んで位置する２つの開口のうちの一方の前記開口に設けられる開口枠と、前記開口枠に囲まれた空間を閉塞可能に設けられ、スライドして他方の前記開口側に移動可能な障子と、透光性を有する面材を備え、前記他方の開口を閉塞する面材ユニットと、を有することを特徴とする建具である。
【０００７】
このような建具によれば、柱又は耐力壁を挟んで位置する２つの開口の一方に設けられている開口枠に囲まれた空間を閉塞可能な障子と、他方を閉塞する面材ユニットは、いずれも透光性を有する面材を備えている。そして、障子は他方の開口側にスライドする。このため、柱又は耐力壁を挟む２つの開口が全体として１つの窓として認識され易い。このため、建物躯体を取り除くことなく広く開放的な窓を形成する建具を提供することが可能である。
【０００８】
かかる建具であって、前記面材ユニットは、前記他方の開口において、前記柱又は前記耐力壁の屋外側の面より屋内側に位置する部位を有していることが望ましい。
このような建具によれば、面材ユニットが、柱又は耐力壁より屋外側に突出する量が小さくなるので、建具の建物から屋外側への突出量をより小さく抑えることが可能である。
【０００９】
かかる建具であって、前記障子がスライドするレールを備え前記一方の開口側から前記他方の開口側に亘って設けられるレール枠を有し、前記面材ユニットは、前記面材を保持して躯体に固定される面材枠を有し、前記レール枠は、前記面材枠に載置されていることが望ましい。
【００１０】
このような建具によれば、障子がスライドするレールを備え一方の開口側から他方の開口側に亘って設けられるレール枠が、面材ユニットの面材枠に載置されているので、自重が大きく障子の重量が作用するレール枠を面材枠により支持することが可能である。
【００１１】
かかる建具であって、前記障子の幅は、前記柱及び前記耐力壁の幅より広いことが望ましい。
このような建具によれば、障子の幅は、柱及び耐力壁の幅より広いので障子を開放したときには、障子の一部が柱及び耐力壁よりも他方の開口側に移動する。このため、柱または耐力壁を挟んだ２つの開口が全体として１つの窓としてより認識され易い。このため、柱及び耐力壁の幅が広い場合であっても、２つの開口に広く開放的な窓を形成する建具を提供することが可能である。
【００１２】
また、上記建具の施工方法であって、前記一方の開口の内周に前記開口枠を取り付ける開口枠取付ステップと、前記他方の開口の内周に前記面材ユニットを取り付ける面材ユニット取付ステップと、上下に配置される前記レール枠が方立により連結された枠ユニットを前記開口枠及び前記面材ユニットに取り付ける枠ユニット取付ステップと、を有することを特徴とする建具の施工方法である。
【００１３】
このような建具の施工方法によれば、建具が、開口枠、面材ユニット、枠ユニットに分割されており、開口枠、面材ユニット、枠ユニットを各々別個に取り付けるので、開口枠、面材ユニット、枠ユニットが一体となったユニットより各々軽量であり、一体となったユニットを一挙に取り付けるより施工が容易である。
【発明の効果】
【００１４】
本発明によれば、建物躯体を取り除くことなく広く開放的な窓を形成する建具及び建具の施工方法を提供することが可能である。
【図面の簡単な説明】
【００１５】
【図１】本実施形態に係る建具を示す横断面図である。
【図２】ＦＩＸ窓側の縦断面図である。
【図３】開口窓側の縦断面図である。
【図４】建具の施工方法を説明するため図である。
【図５】建具の変形例を示す横断面図である。
【発明を実施するための形態】
【００１６】
以下、本発明の一実施形態に係る建具について図面を参照して説明する。
本実施形態の建具１は、図１に示すように、柱６を挟んで左右に位置している建物の２つの開口１ａ、１ｂのうちの一方(図１では右側)の開口１ａに設けられるＦＩＸ窓２と、２つの開口１ａ、１ｂのうちの他方（図１では左側）の開口１ｂに設けられる開口窓３とを１つの窓として構成する。開口窓３は、建具１が備える、左右にスライド可能な引戸障子４により閉塞可能であり、引戸障子４は、開口窓３を閉塞する状態から開放する状態、すなわち、ＦＩＸ窓２の屋外側に位置する状態まで移動可能である。
【００１７】
以下の説明においては、建物等に取り付けられた状態の建具１を屋外側から見たときに、上下となる方向を上下方向、左右となる方向を左右方向、屋内外方向である奥行き方向を見込み方向として示す。建具１の各部位であっても、また、建具１を構成する各部材については単体の状態であっても、建物等に取り付けられた状態にて上下方向、左右方向、見込み方向となる方向にて方向を特定して説明する。
【００１８】
図１〜図３に示すように、建具１は、ＦＩＸ窓２を構成する面材ユニットとしてのＦＩＸ窓ユニット２０と、屋内外を連通する開口窓３を形成する開口枠３０及び引戸障子４と、引戸障子４が案内される上下のレール５０ａを備えたレール枠ユニット５０と、ＦＩＸ窓２と開口窓３との間に位置する柱（以下、中央の柱という）６を屋外側から覆うカバー材７と、を有している。
【００１９】
ＦＩＸ窓ユニット２０は、透光性を有する面材としての複層ガラス２１と、複層ガラス２１の外周部を囲み、中央の柱６などの建物の躯体に固定される面材枠としてのＦＩＸ枠２２と、を有している。本実施形態においては、複層ガラスとして、スペーサーを用いて３枚のガラス板を互いに間隔を隔てて対面配置した３層構造の複層ガラスを図示しているが、層をなすガラス板は、２枚であっても、３枚以上であっても構わない。
【００２０】
ＦＩＸ枠２２は、中央の柱６及び右側に位置する柱(以下、右の柱という)８と、２本の柱６、８間に亘って上下に設けられている窓まぐさ９により形成されている矩形状の開口１ａの内周から、柱６、８よりも屋外側に亘って配置されている。すなわち、ＦＩＸ枠２２は、中央の柱６の屋外側の面６ａより屋外側に位置する部位を有している。
【００２１】
ＦＩＸ枠２２を形成するＦＩＸ上枠２２１、ＦＩＸ下枠２２２、左右のＦＩＸ縦枠２２３は、いずれもアルミニウム製の押出成形部材であり、ＦＩＸ上枠２２１及びＦＩＸ下枠２２２には、屋内側の部位と屋外側の部位との間に断熱材が介在されている。ＦＩＸ上枠２２１、ＦＩＸ下枠２２２、左右のＦＩＸ縦枠２２３には各々、柱６、８及び窓まぐさ９にビス止めされるヒレ状のＦＩＸ固定部２２１ａ、２２２ａ、２２３ａが外周側に突出させて設けられている。矩形状に枠組みされたＦＩＸ枠２２には内周側に、複層ガラス２１の周端部を屋外側から押圧するガスケット１０が設けられており、屋内側から嵌合される押縁１１とともに複層ガラス２１を保持している。
【００２２】
複層ガラス２１を保持して矩形状に枠組みされたＦＩＸ枠２２は、全周にＦＩＸ固定部２２１ａ、２２２ａ、２２３ａが突出しており、柱６、８及び窓まぐさ９により形成される、建物の開口１ａに屋外側から挿入される。そして、ＦＩＸ固定部２２１ａ、２２２ａ、２２３ａが、屋外側から屋内側に向かって進入するビスにより柱６、８及び窓まぐさ９に固定されている。
【００２３】
開口枠３０は、中央の柱６及び左側に位置する柱(以下、左の柱という)１２と、２本の柱６、１２間に亘って上下に設けられている窓まぐさ９により形成されている矩形状の開口１ｂの内周から柱６、１２よりも屋外側に亘って配置されている。すなわち、開口枠３０は、中央の柱６の屋外側の面６ａより屋内側に位置する部位を有している。
【００２４】
開口枠３０を形成する開口上枠３１、開口下枠３２、左右の開口縦枠３３は、いずれもアルミニウム製の押出成形部材であり、開口上枠３１及び開口下枠３２には、屋内側の部位と屋外側の部位との間に断熱材が介在されている。開口上枠３１、開口下枠３２、左右の開口縦枠３３には各々、柱６、１２及び窓まぐさ９にビス止めされるヒレ状の開口固定部３１ａ、３２ａ、３３ａが外周側に突出させて設けられている。
【００２５】
本実施形態の開口枠３０の開口上枠３１及び開口下枠３２は、ＦＩＸ枠２２のＦＩＸ上枠２２１及びＦＩＸ下枠２２２と同じ部材が用いられており、開口枠３０として用いたときに内周側に露出する部分、すなわち、ＦＩＸ窓ユニット２０として用いたときに複層ガラス２１、ガスケット９、押縁１１が設けられる部分を覆うカバー材３０ａが取り付けられている。
【００２６】
矩形状に枠組みされた開口枠３０は、全周に開口固定部３１ａ、３２ａ、３３ａが外周側に突出しており、柱６、８及び窓まぐさ９により形成される、建物の開口１ｂに屋外側から挿入される。そして、開口固定部３１ａ、３２ａ、３３ａは、屋外側から屋内側に向かって進入するビスにより柱６、１２及び窓まぐさ９に固定されている。
【００２７】
引戸障子４は、アルミニウム製の押出成形部材と合成樹脂製の押出成形部材との複合材でなる上框４１、下框４２、戸先框４３、召合せ框４４が、矩形状に接合された框体４０と、框体４０の内周側に装着され透光性を有する面材としての複層ガラス２１と、を備えている。框体４０の内周には、全周に亘って、外周側に窪む溝部が設けられており、複層ガラス２１は、周端部がガスケット４５と共に溝部に収容されて保持されている。引戸障子４の左右方向の幅は、中央の柱６の左右方向の幅より広く構成されており、引戸障子４を開いたときには、召合せ框４４が右の柱８側に近づいて、引戸障子４が右の開口１ａ側に移動するように構成されている。
【００２８】
レール枠ユニット５０は、上下のレール枠５１、５２と、上下のレール枠５１、５２を左右方向におけるほぼ中央で連結する方立５３と、引戸障子４の戸当たりをなす戸当たり枠５４と、を有している。上のレール枠（以下、上レール枠という）５１、下のレール枠（以下、下レール枠という）５２、方立５３、及び、戸当たり枠５４は、いずれもアルミニウム製の押出成形部材である。ここで、レール枠ユニット５０が、枠ユニットに相当する。
【００２９】
上レール枠５１は、引戸障子４の上端側を案内する上のレール５０ａを備えており、下レール枠５２は、引戸障子４の下端側を案内する下のレール５０ａを備えている。引戸障子４は、開口窓３を閉塞する状態からＦＩＸ窓２の屋外側まで移動するので、上下のレール５０ａを備える上レール枠５１及び下レール枠５２は、右の柱８と左の柱１２との間隔とほぼ同じ長さを有している。
【００３０】
上レール枠５１は屋内側に、ＦＩＸ上枠２２１及び開口上枠３１の屋外側の部位に当接する屋内上当接部５１ａと、屋内上当接部５１ａより屋内側に延出してＦＩＸ上枠２２１及び開口上枠３１が有する上見込み面２２１ｂ、３１ｂと対面する上対面部５１ｂと、を有している。上レール枠５１は、屋内上当接部５１ａがＦＩＸ上枠２２１及び開口上枠３１に当接された状態で、上対面部５１ｂがＦＩＸ上枠２２１及び開口上枠３１の内周側に入り込み、内周側から外周側に向かって進入するビスにより上対面部５１ｂが上見込み面２２１ｂ、３１ｂに固定されている。
【００３１】
下レール枠５２は屋内側に、ＦＩＸ下枠２２２及び開口下枠３２の屋外側の部位に当接する屋内下当接部５２ａと、屋内下当接部５２ａより屋内側に延出してＦＩＸ下枠２２２及び開口下枠３２が有する下見込み面２２２ｂ、３２ｂと対面する下対面部５２ｂと、を有している。下レール枠５２は、屋内下当接部５２ａがＦＩＸ下枠２２２及び開口下枠３２に当接された状態で、下対面部５２ｂがＦＩＸ下枠２２２及び開口下枠３２の内周側に入り込み、内周側から外周側に向かって進入するビスにより下対面部５２ｂが下見込み面２２２ｂ、３２ｂに固定されている。
【００３２】
方立５３は、上レール枠５１と下レール枠５２とを、上下のレール５０ａより屋内側にて連結し、中央の柱６に固定されている右の開口縦枠３３に固定されている。方立５３は、屋外側に、閉じた引戸障子４の召合せ框４４と係合する煙返し片５３ａ、及び、召合せ框４４との間をシールするシール材５３ｂを備え、屋内側に右の開口縦枠３３に固定される方立固定部５３ｃを有している。方立固定部５３ｃは、右の開口縦枠３３の屋外側の部位に当接されたときに、右の開口縦枠３３が有する屋外に臨む面３３ｂと対向し、屋外側から屋内側に向かって進入するビスにより固定される。
【００３３】
戸当たり枠５４は、引戸障子４にて開口窓３を閉じたときに引戸障子４の戸先框３５３が当接され、左の柱１２に固定されている左の開口縦枠３３に固定されている。引戸障子４は、戸先框３５３が左の開口縦枠３３に当接されたときに、戸先框３５３の先端が、開口窓３の左の見込み面３ａより外周側に位置するように構成されている。
【００３４】
戸当たり枠５４は、屋内側に左の開口縦枠３３の屋外側の部位と当接するとともに、左の開口縦枠３３が有する見付け面３３ｃと対向する戸当たり枠固定部５４ａを有しており、枠固定部５４ａが屋外側から屋内側に向かって進入するビスにより左の開口縦枠３３の見付け面３３ｃに固定されている。
【００３５】
図４に示すように、本実施形態の建具１の施工方法は、まず、ＦＩＸ窓ユニット２０を建物の右の開口１ａの内周側に挿入し、ＦＩＸ固定部２２１ａ、２２２ａ、２２３ａを躯体側に当接させてビスにより柱６、８及び窓まぐさ９に固定する。
【００３６】
次に、開口枠３０を、建物の左の開口１ｂの内周側に挿入し、開口固定部３１ａ、３２ａ、３３ａを躯体側に当接させてビスにより柱６、１２及び窓まぐさ９に固定する。ここで、ＦＩＸ窓ユニット２０と開口枠３０とは、いずれを先に固定しても構わない。
【００３７】
次に、ＦＩＸ窓ユニット２０の下側のＦＩＸ固定部２２２ａ及び開口枠３０の下側の開口固定部３２ａよりも屋外側に突出している部位を支持する支持部材１３を、取り付ける。支持部材１３は、断面がほぼＬ字状をなすスチール製の部材であり、Ｌ字状をなす２枚の板部１３ａ、１３ｂの一方をなす鉛直板部１３ａが躯体側に固定され、他方をなす水平板部１３ｂがＦＩＸ窓ユニット２０及び開口枠３０を下から支持している。水平板部１３ｂは、ＦＩＸ窓ユニット２０及び開口枠３０より屋外側に延出されている。尚、支持部材１３は、右の柱８と左の柱１２との間隔とほぼ同じ長さを有している、或いは、右の柱８と左の柱１２との間隔より短い部材が複数設けられていても構わない。支持部材１３は、ＦＩＸ固定部２２２ａ及び開口固定部３２ａの下面に水平板部１３ｂを当接させ下側の窓まぐさ９に鉛直板部１３ａを固定する。
【００３８】
次に、レール枠ユニット５０を、支持部材１３上に載置しつつ、屋外側からＦＩＸ窓ユニット２０及び開口枠３０に当接させる。このとき、下レール枠５２の屋内側の部位５２ｃは、ＦＩＸ下枠２２２及び開口下枠３２に載置される。そして、上対面部５１ｂをＦＩＸ上枠２２１及び開口上枠３１に、下対面部５２ｂをＦＩＸ下枠２２２及び開口下枠３２に、方立固定部５３ｃを右の開口縦枠３３に、枠固定部５４ａを左の開口縦枠３３に、それぞれ固定する。
【００３９】
次に、支持部材１３上に載置されている下レール枠５２の、ＦＩＸ下枠２２２及び開口下枠３２よりも屋外側にて支持部材１３と重なっている部位を、下方から進入するビスにより支持部材１３に固定する。
最後に、レール枠ユニット５０の上下のレール５０ａに引戸障子４を吊り込んで建具１の施工が完了する。
【００４０】
本実施形態の建具１によれば、中央の柱６を挟んで位置する２つの開口１ａ、１ｂのうちの左側の開口１ｂが複層ガラス２１を備えた引戸障子４が設けられ、他方は複層ガラス２１を備えて、右の開口１ａを閉塞するＦＩＸ窓ユニット２０が設けられている。そして、引戸障子４は右の開口１ａ側、すなわち、ＦＩＸ窓ユニット２０の屋外側にスライドするように構成されている。このため、中央の柱６を挟む２つの開口１ａ、１ｂが１つの窓として認識され易い。このため、建物の躯体を取り除くことなく広く開放的な窓を形成する建具１を提供することが可能である。
【００４１】
また、ＦＩＸ窓ユニット２０が、中央の柱６の屋外側の面６ａより屋内側、すなわち、中央の柱６及び右の柱８との間に位置する部位を有しているので、ＦＩＸ窓ユニット２０が、中央の柱６及び右の柱８よりも屋外側に突出する量を小さく抑えることが可能である。このため、建具１の建物から屋外側への突出量をより小さく抑えることが可能である。
【００４２】
また、引戸障子４がスライドするレール５０ａを備えた下レール枠５２の、上レール枠５１と連結されていない、方立３より右側の部位が、窓まぐさ９に固定されるＦＩＸ窓ユニット２０のＦＩＸ下枠２２２上及び支持部材１３上に載置されている。このため、引戸障子４の重量が作用する下レール枠５２をＦＩＸ下枠２２２及び支持部材１３により支持し、下レール枠５２が降下するような変形を防止することが可能である。
【００４３】
また、引戸障子４の幅は、中央の柱６の幅より広いので引戸障子４を開放したときには、引戸障子４の一部が中央の柱６よりも右の開口１ａ側に移動する。このため、中央の柱６を挟んだ２つの開口１ａ、１ｂが全体として１つの窓としてより認識され易い。このため、中央の柱６の幅が広い場合であっても、２つの開口１ａ、１ｂに、広く開放的な窓を形成する建具１を提供することが可能である。
【００４４】
また、本実施形態の建具１の施工方法によれば、建具１は、ＦＩＸ窓ユニット２０開口枠３０、レール枠ユニット５０に分割されており、ＦＩＸ窓ユニット２０、開口枠３０、レール枠ユニット５０を各々別個に取り付けるので、ＦＩＸ窓ユニット２０開口枠３０、レール枠ユニット５０が一体となったユニットより各々軽量であり、一体となったユニットを躯体等に一挙に取り付けるより施工が容易である。
【００４５】
上記実施形態においては、３本の柱６、８、１２間に設けられた２つの開口１ａ、１ｂに設けられる建具１を例に挙げて説明したが、これに限るものではない。例えば３つ以上の開口に亘る枠体を有し、少なくとも２つの開口間にてスライドする引戸障子を備えていれば構わない。
【００４６】
また、上記実施形態においては、柱６を挟んで両側に設けられている開口１ａ、１ｂに設けられる建具１の例について説明したが、これに限らず、例えば、図５に示すように、耐力壁１４を挟んで両側に設けられている開口１ａ、１ｂに設けられる建具１５であっても構わない。このとき、引戸障子４の左右方向の幅は、耐力壁１４の左右方向の幅より広いので、引戸障子４を開いたときには、引戸障子４の一部が耐力壁１４よりも右の開口１ａ側に移動する。このため、耐力壁１４を挟んだ２つの開口１ａ、１ｂが全体として１つの窓としてより認識され易いので、耐力壁１４を挟む２つの開口１ａ、１ｂであっても、広く開放的な窓を形成する建具１を提供することが可能である。
【００４７】
上記実施形態においては、建具１が、他方の開口を閉塞する面材ユニットとしてＦＩＸ窓ユニット２０を備えている例について説明したが、これに限らず、例えば、開閉可能な内倒し窓、上げ下げ窓等のユニットなど、透光性を有する面材を備えて、他方の開口を閉塞し、引戸障子のスライドを妨げない面材ユニットであれば構わない。
【００４８】
上記実施形態においては、ＦＩＸ枠２２、開口枠３０、上下のレール枠５１、５２、方立５３、戸当たり枠５４、を構成する各枠材を、アルミニウム製の押出成形部材、または、アルミニウム製の押出成形部材でなる屋内側の部位と屋外側の部位との間に断熱材が介在され枠材とし、引戸障子４の框体４０を構成する框材を、アルミニウム製の押出成形部材と合成樹脂製の押出成形部材とで構成された複合材とした例について説明したが、これに限るものではない。すなわち、本建具１に用いる枠材及び框材は、アルミニウム製の部材のみにより構成されている形態、合成樹脂製の部材のみにより構成されている形態、２つのアルミニウム製の部材の間に断熱材が介在されている刑態、及び、アルミニウム製の部材と合成樹脂製の部材とにより構成されている形態など、いずれの形態であっても構わない。
【００４９】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００５０】
１  建具、１ａ  開口、１ｂ  開口、４  引戸障子、６  柱、
６ａ  柱の屋外側の面、１４  耐力壁、１５  建具、２０  ＦＩＸ窓ユニット、
２１  複層ガラス、２２  ＦＩＸ枠、３０  開口枠、５０  レール枠ユニット、
５０ａ  レール、５１  上レール枠、５２  下レール枠、５３  方立、
【図１】
2019056260.tif 000003
【図２】
2019056260.tif 000004
【図３】
2019056260.tif 000005
【図４】
2019056260.tif 000006
【図５】
2019056260.tif 000007